(57)【特許請求の範囲】
【請求項１】
周囲に複数の図柄が付された複数個の回転リールと、
回転リールの回転を開始させるためのスタートスイッチと、
回転リールの回転を停止させるためのストップスイッチと、
当選役を抽選により決定するための役抽選手段とを備え、
スタートスイッチの操作により回転リールの回転を開始させるとともに、役抽選手段により役の当否の抽選を行い、その抽選の結果及びストップスイッチの操作に基づいて回転リールの回転を停止させ、当選した役に係る図柄の組み合わせが表示窓の所定位置に揃ったか否かの判定を行い、その判定の結果が所定の結果であった場合に所定の利益を遊技者に付与することで１回の遊技が終了する遊技機であって、
スタートスイッチの操作後に、特定図柄の組み合わせが所定の配置態様で表示窓に表示可能とし、その後、その所定の配置態様を維持した状態の回胴演出を行う回胴演出制御手段と、
回胴演出制御手段による回胴演出の終了後の所定区間において実施可能な遅延処理の遅延時間を、遊技毎に抽選により決定する遅延時間抽選手段とを備え、
回胴演出終了時から遅延時間抽選手段により決定された遅延時間が経過するまで、ストップスイッチによる停止操作を不能にすると共に、遅延時間の経過後にストップスイッチによる停止操作を可能となるようにしたことを特徴とする遊技機。
【請求項２】
周囲に複数の図柄が付された複数個の回転リールと、
回転リールの回転を開始させるためのスタートスイッチと、
回転リールの回転を停止させるためのストップスイッチと、
当選役を抽選により決定するための役抽選手段とを備え、
スタートスイッチの操作により回転リールの回転を開始させるとともに、役抽選手段により役の当否の抽選を行い、その抽選の結果及びストップスイッチの操作に基づいて回転リールの回転を停止させ、当選した役に係る図柄の組み合わせが表示窓の所定位置に揃ったか否かの判定を行い、その判定の結果が所定の結果であった場合に所定の利益を遊技者に付与することで１回の遊技が終了する遊技機であって、
スタートスイッチの操作後に、特定図柄の組み合わせが所定の配置態様で表示窓に表示可能とし、その後、その所定の配置態様を維持した状態で複数の回転リールを同一回転速度で回転させる回胴演出を行う回胴演出制御手段と、
回胴演出制御手段による回胴演出中の所定の配置態様を維持した状態で複数の回転リールを同一回転速度で回転させる時間を、遊技毎に抽選により決定する回胴演出時間抽選手段とを備え、
回胴演出中は、ストップスイッチによる停止操作を不能にすると共に、回胴演出の終了後にストップスイッチによる停止操作を可能となるようにしたことを特徴とする遊技機。
【発明の詳細な説明】
【技術分野】
【０００１】
この発明は、回転リールによる回胴演出が可能な遊技機に関する。
【背景技術】
【０００２】
従来、この種の遊技機として、複数の回転リールを回転させた後、ストップスイッチにより停止させる遊技を行うスロットマシンが一般に知られている。このスロットマシンでは、各回転リールの周囲に複数の図柄が配置されてあり、図柄表示窓を通じて、各回転リールに配置された図柄の前面側の一部が視認可能な構成となっている。そして、遊技者がメダルを投入してスタートスイッチを操作することで、各回転リールが回転を開始し、各回転リールが回転を開始した後に、ストップスイッチを遊技者が操作することで、各回転リールが停止する。また、スロットマシンの内部では、原則として、メダルの投入と、スタートスイッチの操作とを条件として、抽選を行っており、抽選の結果、所定の役に当選し（当選フラグが成立し）、且つ予め設定された有効ライン上に、当選した役の図柄が停止表示することを条件として、所定枚数のメダルが払い出されたり、或いは、遊技者に有利な所定の特別遊技へ移行することができる等の特典が付与される。そして、遊技の興趣を高めるべく、液晶表示装置や、多数のランプや、スピーカ等の報知手段を介して、抽選の結果に対応して、また、当選図柄が停止表示した場合等に、画像や音や光等による種々の演出が行われている。
【０００３】
ここで、近年、そのような演出として、スタートスイッチ操作から、回転リールが所定回転速度に到達してストップスイッチの押下操作が可能となるまでの間に、回転リールの回転速度変更等による演出、いわゆる回胴演出が種々、検討されている。具体的には、例えば、回転リールが回転を開始して、ストップスイッチの押下操作が可能となるまでの間に、所定の図柄を、並列させて、その後、定常回転にするようなものである（例えば、特許文献１。）。
【先行技術文献】
【特許文献】
【０００４】
【特許文献１】特開２０１０−５１６４２号公報
【発明の概要】
【発明が解決しようとする課題】
【０００５】
しかし、上記した回転中に所定の図柄を揃えてしまう回胴演出は、当該所定の図柄を揃えることができるかもしれないという期待感の高揚はあるものの、所定図柄が並列した状態で回転するため、そのままでは、いわゆる目押しの補助となってしまうという問題点があった。所定図柄が並列した状態で回転することにより、通常の目押しに比べて、回転中の図柄の認識を著しく容易にしてしまい、そうでない場合と比較してあまりにも不公平になってしまうものである。そして、熟練した遊技者によっては、そのような目押し補助となるようなものは、面白みが半減してしまう者もいた。
そこで、本発明は、上記した従来の技術の有する問題点に鑑みてなされたものであり、その目的とするところは、回胴演出後、目押しの補助とならないようにして、遊技の興趣を向上させようとするものである。
【課題を解決するための手段】
【０００６】
（請求項１）
請求項１記載の発明に係る遊技機(10)は、周囲に複数の図柄(61)が付された複数個の回転リール(40)と、回転リール(40)の回転を開始させるためのスタートスイッチ(30)と、回転リール(40)の回転を停止させるためのストップスイッチ(50)と、当選役を抽選により決定するための役抽選手段(110)とを備えている。
そして、この遊技機(10)は、スタートスイッチ(30)の操作により回転リール(40)の回転を開始させるとともに、役抽選手段(110)により役の当否の抽選を行い、その抽選の結果及びストップスイッチ(50)の操作に基づいて回転リール(40)の回転を停止させ、当選した役に係る図柄(61)の組み合わせが表示窓(13)の所定位置に揃ったか否かの判定を行い、その判定の結果が所定の結果であった場合に所定の利益を遊技者に付与することで１回の遊技が終了するように形成されている。
【０００７】
そして、スタートスイッチ(30)の操作後に、特定図柄(61a)の組み合わせが所定の配置態様で表示窓(13)に表示可能な状態とし、その後、その所定の配置態様を維持した状態の回胴演出を行う回胴演出制御手段(170)と、回胴演出制御手段(170)による回胴演出の終了後の所定区間において実施可能な遅延処理の遅延時間を、遊技毎に抽選により決定する遅延時間抽選手段(400)とを備えている。
【０００８】
そして、回胴演出終了時から遅延時間抽選手段(400)により決定された遅延時間が経過するまで、ストップスイッチ(50)による停止操作を不能にすると共に、遅延時間の経過後にストップスイッチ(50)による停止操作を可能となるようにしたことを特徴とする。
上記のうち、「所定の配置態様で表示窓(13)に表示可能」な状態であることには、以下のようなものを含む。
（ａ）回転中の回転速度を変更させることによって所定の配置態様等にする。
（ｂ）回転開始のタイミングを各回転リール(40)で変えることによって、所定の配置態様等にする。
【０００９】
（ｃ）一時停止によって所定の配置態様等にする。
（ｄ）回転中の回転リール(40)のうち少なくとも一部の回転リール(40)の回転方向を変化させることによって所定の配置態様等にする。（請求項２）
請求項２記載の発明は、次の点を特徴とする。すなわち、請求項２記載の発明に係る遊技機(10)は、周囲に複数の図柄(61)が付された複数個の回転リール(40)と、回転リール(40)の回転を開始させるためのスタートスイッチ(30)と、回転リール(40)の回転を停止させるためのストップスイッチ(50)と、当選役を抽選により決定するための役抽選手段(110)とを備えている。
【００１０】
そして、この遊技機(10)は、スタートスイッチ(30)の操作により回転リール(40)の回転を開始させるとともに、役抽選手段(110)により役の当否の抽選を行い、その抽選の結果及びストップスイッチ(50)の操作に基づいて回転リール(40)の回転を停止させ、当選した役に係る図柄(61)の組み合わせが表示窓(13)の所定位置に揃ったか否かの判定を行い、その判定の結果が所定の結果であった場合に所定の利益を遊技者に付与することで１回の遊技が終了するように形成されている。
そして、スタートスイッチ(30)の操作後に、特定図柄(61a)の組み合わせが所定の配置態様で表示窓(13)に表示可能とし、その後、その所定の配置態様を維持した状態で複数の回転リール(40)を同一回転速度で回転させる回胴演出を行う回胴演出制御手段(170)と、回胴演出制御手段(170)による回胴演出中の所定の配置態様を維持した状態で複数の回転リール(40)を同一回転速度で回転させる時間を、遊技毎に抽選により決定する回胴演出時間抽選手段(410)とを備えている。
【００１１】
そして、回胴演出中は、ストップスイッチ(50)による停止操作を不能にすると共に、回胴演出の終了後にストップスイッチ(50)による停止操作を可能となるようにしたことを特徴とする。
上記のうち、「所定の配置態様で表示窓(13)に表示可能」な状態であることには、請求項１で説明したものを含む。
【発明の効果】
【００１２】
本発明は、以上のように構成されているので、以下に記載されるような効果を奏する。
（請求項１）
請求項１記載の発明によれば、回胴演出制御手段は、回転リールの回転中に、所定の配置態様で表示窓に表示可能とし、その後、その所定の配置態様を維持した状態の回胴演出を行う。これにより、所定の利益の付与の期待感を煽ることができる。
その後、遅延時間抽選手段が、回胴演出制御手段の回胴演出の終了後の所定区間において実施可能な遅延処理の遅延時間を、遊技毎に抽選により決定している。そして、この遅延時間が終了するまで、ストップスイッチの停止操作が不能となり、遅延時間の終了後に、停止操作が可能となる。このため、抽選により長さが変動する遅延時間の発生により、回胴演出の終了から停止操作可能なタイミングまでの時間が一定とならない。これにより、遊技者が、回胴演出が終了した時から同一の時間経過時に停止操作を行おうとしても、その停止操作のタイミングが外されてしまうことが発生し、目押しの補助となるようなことを回避することができる。したがって、目押しの技量に熟練した遊技者にとっても、目押しの面白みが半減することもなく、遊技の興趣を向上させることができる。
【００１３】
（請求項２）
請求項２記載の発明によれば、回胴演出制御手段は、回転リールの回転中に、所定の配置態様で表示窓に表示可能とし、その後、その所定の配置態様を維持した状態で複数の回転リールを同一回転速度で回転させる。これにより、所定の利益の付与の期待感を煽ることができる。
そして、回胴演出時間抽選手段が、複数の回転リールが同一回転速度で回転させる回胴演出の時間を、遊技毎に抽選により決定している。そして、この回胴演出の時間が終了するまで、ストップスイッチの停止操作が不能となり、回胴演出の終了後に、停止操作が可能となる。このため、回胴演出が開始して、回胴演出が終了して、停止操作可能なタイミングまでの時間が一定とならない。これにより、遊技者が、回胴演出が終了した時から同一の時間経過時に停止操作を行おうとしても、その停止操作のタイミングが外されてしまうことが発生し、目押しの補助となるようなことを回避することができる。したがって、目押しの技量に熟練した遊技者にとっても、目押しの面白みが半減することもなく、遊技の興趣を向上させることができる。
【図面の簡単な説明】
【００１４】
【図１】本発明の第１の実施の形態であって、遊技機を示す外観正面図である。
【図２】本発明の第１の実施の形態であって、リールユニットの一部を示す外観斜視図である。
【図３】本発明の第１の実施の形態であって、リールユニットの一部を示す縦断面図である。
【図４】本発明の第１の実施の形態であって、遊技機の入力、制御及び出力を示すブロック図である。
【図５】本発明の第１の実施の形態であって、回転リールのリールテープの図柄の一部を示す概略図である。
【図６】本発明の第１の実施の形態であって、役の内容を示す概略図である。
【図７】本発明の第１の実施の形態であって、有効ラインを示す外観正面図である。
【図８】本発明の第１の実施の形態であって、有効ラインを示す外観正面図である。
【図９】本発明の第１の実施の形態であって、各回転リール毎の回転速度の変化を示す概念図である。
【図１０】本発明の第１の実施の形態であって、３個の回転リールの回転速度の変化を示す概念図である。
【図１１】本発明の第１の実施の形態であって、３個の回転リールの回転速度の変化を示す概念図である。
【図１２】本発明の第１の実施の形態であって、３個の回転リールの回転速度の変化を示す概念図である。
【図１３】本発明の第１の実施の形態であって、遅延時間の一部変形例を示す概念図である。
【図１４】本発明の第１の実施の形態であって、遅延時間及び回胴演出の一部変形例を示す概念図である。
【図１５】本発明の第１の実施の形態であって、通常遊技のフローである。
【図１６】本発明の第１の実施の形態であって、回胴演出処理のフローである。
【図１７】本発明の第１の実施の形態であって、３個の回転リールの回転開始初期の回転態様を示す概念図である。
【図１８】本発明の第１の実施の形態の一部変形例であって、３個の回転リールの回転開始初期の回転態様を示す概念図である。
【図１９】本発明の第１の実施の形態の一部変形例であって、３個の回転リールの回転開始初期の回転態様を示す概念図である。
【図２０】本発明の第１の実施の形態の一部変形例であって、３個の回転リールの回転開始初期の回転態様を示す概念図である。
【図２１】本発明の第１の実施の形態の一部変形例であって、３個の回転リールの回転開始初期の回転態様を示す概念図である。
【図２２】本発明の第２の実施の形態であって、各回転リール毎の回転速度の変化を示す概念図である。
【図２３】本発明の第２の実施の形態であって、３個の回転リールの回転速度の変化を示す概念図である。
【図２４】本発明の第２の実施の形態であって、３個の回転リールの回転速度の変化を示す概念図である。
【図２５】本発明の第２の実施の形態であって、３個の回転リールの回転速度の変化を示す概念図である。
【発明を実施するための形態】
【００１５】
（第１の実施の形態）
（遊技機10の概要）
本明細書において、「前面」は、遊技機において遊技を行う際に遊技者が向き合う面をいい、「背面」は、かかる遊技者から見た場合の「前面」の反対側の面であり、また、「左」や「右」等の左右方向も、かかる遊技機の前面の方を向いて位置している者から見た場合の左側や、右側を意味する。
図１に示すように、本実施の形態に係る遊技機としてのスロットマシンであって、正面に向かって開口する正面開口部を有する四角箱状の筐体11と、この筐体11の正面開口部を開閉自在に塞ぐ前扉14とを有する。前記前扉14は、正面開口部の上部を開閉自在に塞ぐ上扉3と、正面開口部の下部を開閉自在に塞ぐ下扉4とを備えている。
【００１６】
また、前扉14の上部には、上パネル12aを備え、前扉14の下部には、下パネル12bを備え、前扉14の前面における、上パネル12aと下パネル12bとの間には、前方へ向けて突出する操作部12cを備えている。
前記上扉3には、遊技者側に向かって臨む略四角窓状の上パネル12aが形成されている。そして、この上パネル12aの略中央には、三個の回転リール40の円周に貼付したリールテープ42上の図柄61、いわゆる停止図柄61を見ることができる表示窓13が形成されている。この表示窓13は、３個全ての回転リール40の回転が停止した際には、縦３列横３行に配置した合計９個の図柄を遊技者に見せるように形成されている。
【００１７】
前記表示窓13の奥には、３個の駆動モータによって図柄表示手段としての回転リール40を回転させるためのリールユニット60が配置されてある。前記回転リール40は、左端側に位置する左リール43と、右端側に位置する右リール45と、この左リール43及び右リール45の間に位置する中リール44とからなる。
そして、遊技機10の前面側には、横方向や、斜め方向等に３個の回転リール40の各３個の所定図柄の停止位置を結んだ所定本数のラインが形成されている。本実施の形態では、ラインとして、上段の３個の図柄を通る上段ラインＬ１と、中段の３個の図柄を通る中段ラインＬ２と、下段の３個の図柄を通る下段ラインＬ３と、左下、中央、右上の３個の図柄を通る右上りラインＬ４と、左上、中央、右下の３個の図柄を通る右下りラインＬ５とが設けられている。
【００１８】
前記前扉14には、遊技者に役抽選の当選等を音や光や映像で報知させる報知手段66が形成されてあり、この報知手段66は、上下左右のスピーカー67と、上パネル12aの上部中央に配置された液晶表示装置68と、上パネル12aの周囲縁に配置された報知ランプ69とを備えている。
前記下扉4には、操作部12cの右側に位置してメダルを投入するためのメダル投入口18と、操作部12cの左側に位置して貯留メダル数を減じてメダル投入に代えるベットスイッチ16と、このベットスイッチ16の左側に位置してクレジットしたメダルを払い出すための精算スイッチ17と、操作部12cの左側に位置してメダルの投入若しくはベットスイッチ16の投入を条件に回転リール40の回転を開始させるための変動表示開始手段31としてのスタートスイッチ30と、操作部12cの略中央に位置して操作により対応する回転リール40の回転を停止させるための変動表示停止手段51としてのストップスイッチ50とを備えている。
【００１９】
なお、左リール43に対応するためのストップスイッチ50が左ストップスイッチ50aであり、中リール44に対応するためのストップスイッチ50が中ストップスイッチ50bであり、右リール45に対応するためのストップスイッチ50が右ストップスイッチ50cである。
なお、本遊技機10は、メダル投入口18からメダルを投入すると、最大で５０枚のメダルを遊技機10内部に貯留する（クレジットする）ことが可能に形成されている。そして、この貯留（クレジット）したメダルを、ベットスイッチ16の押下操作によって、遊技開始の条件としてのメダル投入に代えることができる。
前記下扉4の奥には、いわゆるホッパーユニットであって、メダルを貯留することができるとともに、メダルを払い出すことができる貯留払い出し手段65と、電源投入又は電源遮断のための操作が可能な電源スイッチ6を有すると共に各部品に電力を供給するための電源装置5とが配置されている。
【００２０】
そして、下扉4の下部には、所定の役の図柄が有効ライン上に表示された場合に、貯留払い出し手段65からメダルが払い出される払い出し口32が形成され、この払い出し口32の下方には、払い出し口32から払い出されたメダルを貯留するため、上方に向かって開口する皿状の払い出し皿33が形成されている。
本実施の形態に係る遊技機10は、原則として、ベットスイッチ16操作又はメダル投入後のスタートスイッチ30の押下により、回転リール40の回転を開始すると共に、役抽選を行い、各回転リール40のストップスイッチ50の押下タイミング及び役抽選の結果に基づいて、回転リール40の回転を役抽選の結果に適合するように停止させ、停止時の図柄の組み合わせによって、当選した役の所定図柄が有効ライン上に停止表示された場合に、所定枚数のメダルを払い出す等の所定の特典（利益）を遊技者に付与するスロットマシンである。
【００２１】
なお、この遊技機10は、ベットスイッチ16の操作又はメダル投入等による遊技媒体のベットにより、遊技を開始することが可能な状態、いわゆる遊技開始準備状態となる。そして、その遊技開始準備状態中のスタートスイッチ30の押下により、遊技が開始されると共に回転リール40の回転が開始される。そして、その後の回転リール40の停止表示後のメダル払い出し等の処理が終了することで、１回の遊技が終了するように形成されている。なお、この遊技が終了してから、次の遊技に関する遊技媒体のベットまでの間は、いわゆる遊技間（ゲーム間）の状態である。
（リールユニット60）
前記リールユニット60は、図２及び図３に示すように、横並びに設けた３個の回転リール40と、各回転リール40を回転させるためのものであって各回転リール40にそれぞれ対応している駆動モーターとしてのステッピングモーター64と、遊技制御装置21からのパルス信号が入力されることでステッピングモーター64を回転駆動させるためのモータードライバ62と、回転リール40の回転位置を検知するための回転位置検知装置46と、これらを支持する支持部材49とを備えている。
【００２２】
回転リール40は、２１個の図柄を周囲に均等に配列した筒状のものである。そして、各回転リール40は、合成樹脂からなる回転ドラムと、この回転ドラムの周囲に貼付されるとともに、複数個（２１個）の図柄61が表示されているテープ状のリールテープ42とを備えている。
前記回転位置検知装置46は、回転リール40の回転ドラムから横方向に突出している突出片状のインデックス47と、回転リール40の周囲の支持部材49から突出するとともにインデックス47の通過を光センサーの遮断によって検知するためのインデックスセンサ48とを備えている。
【００２３】
そして、駆動モーターによる回転を開始した後、前記インデックス47をインデックスセンサ48により検知してからの回転角度を認識することで、後述する回転位置判断手段161により現在位置を特定し、その後、所定角度で停止させることが可能となる。このインデックスセンサ48は、内部に光センサーを有するとともに、全体形状が、略コ字状であって、一端に発光素子（ＬＥＤ）が配置され、他端に受光素子（フォトトランジスタ）が配置され、そのコ字状の内部を、突出片状のインデックス47が移動することにより、発光素子からの光が遮断され、インデックス47が通過したタイミングを検知可能なものである。
前記モータードライバ62には、遊技制御装置21からの信号としてのパルス信号が入力されることにより、ステッピングモータ64を回転駆動させるように形成されている。
【００２４】
更に、具体的には、このステッピングモータ64は、５０４個のステップで、３６０度、すなわち１周するように設定されている。そして、モータドライバ62に１パルスの信号が入力されることにより、ステッピングモータ64が１ステップ角（具体的には、３６０／５０４度）だけ、回転するように設定されている。すなわち、５０４パルスの信号がモータドライバ62に入力されることにより、ステッピングモータ64は、３６０度、すなわち１回転するものである。回転リール40の周囲には、２１個の図柄が配置されているため、２４パルスの信号がモータドライバ62に入力されると、ステッピングモータ64は２４ステップ移動し、１図柄分だけ回転移動するように設定されている。
【００２５】
本実施の形態では、回転リール40の回転速度を変更しているが、これは、単位時間当たりのステップ数を変更することにより、回転リール40の回転速度を、後述する回転制御手段150により調整可能に形成されている。
（制御装置20）
図４に示すように、遊技機10の内部には、遊技機10の全体の動作を制御するための制御装置20が形成されている。前記制御装置20は、図示しないが、ＣＰＵを中心に構成され、ＲＯＭ、ＲＡＭを備えている。そして、ＲＯＭに記憶されたデータやプログラムを、ＲＡＭが読み込むことで、動作可能に形成されている。
【００２６】
前記制御装置20の入力段には、上述したベットスイッチ16、スタートスイッチ30、ストップスイッチ50及び精算スイッチ17が接続され、出力段には、上述した貯留払い出し手段65、リールユニット60及び報知手段66が接続されている。
前記制御装置20は、遊技を進行させて遊技状態を制御する遊技制御装置21（主基板23）と、この遊技制御装置21からの信号を受けて、遊技の演出を行うために演出状態を制御する演出制御装置22（サブ基板24）とを備えている。ここで、遊技制御装置21と演出制御装置22との間における信号の送受信は、遊技制御装置21における役抽選に関するデータ等の内部データの信頼性を担保すべく、一方通行となるように形成されている。すなわち、遊技制御装置21から演出制御装置22に向かってのみ信号が出力され、演出制御装置22から遊技制御装置21に向かっていかなる信号も出力されないように形成されている。
【００２７】
（遊技制御装置21）
前記遊技制御装置21は、スタートスイッチ30の遊技者による操作により、乱数抽選を行い、ストップスイッチ50の操作により、その抽選の結果を反映させた回転リール40の回転及び停止を制御するためのものである。
前記遊技制御装置21は、遊技制御手段27と、役抽選手段110と、回胴演出抽選手段120と、遅延時間抽選手段400と、回転制御手段250と、ウェイト制御手段190と、停止制御手段130と、停止図柄判定手段140と、計時手段150と、回転位置判断手段161と、回胴演出データ記憶手段210と、回胴演出制御手段170と、遅延実行手段420とを備えている。
【００２８】
なお、本スロットマシンにより行う遊技は、一般的（通常）に行われる通常遊技と、ボーナス遊技と呼ばれて同一の遊技回数を基準として遊技期間で比較した場合に、この通常遊技よりも遊技者に大きな利益を付与可能な特別遊技とを備えている。この特別遊技は、通常遊技中に予め定めた所定の役の図柄を有効ライン上に表示させたことにより移行すると共に通常遊技よりも単位時間あたりの獲得可能なメダル数が多くなることが可能に形成されている。この特別遊技は、具体的には、所定枚数までのメダルの獲得が可能なＢＢ遊技（ビッグボーナス遊技）やＲＢ遊技（レギュラーボーナス遊技）を備えている。
ここで、「役」とは、原則として図柄の組み合わせにより構成されるもので、予め定めた図柄の組み合わせを意味するものであって、例えば、左、中、右の回転リール40の停止図柄が、それぞれ７、７、７のように、通常、回転リールに表示される図柄を、３つ揃えた形が基本形となる。但し、チェリーのように、３つ揃わなくとも、例えば、左リール43のように特定の回転リールにチェリー図柄が停止して、残りの２つの回転リール40にはいずれの図柄でもよい役もある。なお、役の構成は、遊技機10の前面側（図示せず）に表示されている。
【００２９】
そして、前記通常遊技制御手段70は、通常遊技を行わせるために通常遊技に関する制御を行うものであり、前記特別遊技制御手段80は、特別遊技を行わせるために特別遊技に関する制御を行う。
（通常遊技制御手段70）
通常遊技制御手段70は、通常遊技を制御するものである。
以下、遊技機10における通常遊技について説明する。１回の遊技につき、遊技媒体としてのメダルを３枚ベットすることが可能である。３枚のメダルをベットすると、５本全てのラインが有効になる。なお、３枚投入だけしか有効にならない３枚専用機とすることもできる。そして、有効になったラインを、以下、「有効ライン」と称する。また、メダルのベットには、メダル投入口18からメダルを投入することによるベットと、ベットスイッチ16を操作することによるクレジットされているメダルのベットとがある。また、再遊技のときには、前回の遊技でベットした枚数と同数のメダルが自動的にベットされる。また、３枚のメダルのベットを条件に、遊技を開始することが可能となり、スタートスイッチ30を操作すると、複数の役のいずれかに当選か又はハズレかの役抽選が行われるとともに、３個すべての回転リール40の回転が開始する。その後、３個すべての回転リール40の回転が所定の定常回転速度になって定常回転するようになると、３個すべてのストップスイッチ50が有効になり、ストップスイッチ50の操作が有効になる。そして、３個のストップスイッチ50のうちの１個を操作すると、当該ストップスイッチ50に対応した回転リール40の回転が停止する。そして、３個すべてのストップスイッチ50の操作を終えると、３個すべての回転リール40の回転が停止する。このとき、いずれかの有効ライン上に、役抽選で当選した役に対応する図柄の組み合わせが停止表示されると、当該役に応じた枚数のメダルを獲得できる。また、獲得したメダルは、クレジットされ、クレジット数が上限値に達したときには、貯留払い出し手段65が駆動して、上限値を超えた分が払い出し口32から払い出される。また、メダルの獲得に代えて、あるいはメダルの獲得とともに、遊技者に対して所定の利益が付与されることもある。
【００３０】
ここで、役には、有効ライン上に所定の図柄の組み合わせが停止表示されることにより、メダルが払い出される小役と、有効ライン上に所定の図柄の組み合わせが停止表示されることにより、メダルの払い出しはないがメダルを新たに投入することなく前回の遊技と同じ条件で再度遊技を行うことができるリプレイ役と、有効ライン上に所定の図柄の組み合わせが停止表示されることにより、メダルの払い出しはないが特別遊技へ移行するボーナス役とがある。
具体的には、図６に示すように、小役には、プラム役と、ベル役と、チェリー役と、有利遊技移行役と、いわゆる３択役（３択青７役、３択役白７役、３択役赤７役）とがある。例えば、プラム役、ベル役、及びチェリー役のうちプラム役は、「プラム」「プラム」「プラム」の図柄の組み合わせにより構成され、また、例えば、チェリー役は、「チェリー」「ＡＮＹ」「ＡＮＹ」（「ＡＮＹ」は、いずれの図柄であってもよいことを意味する。）の図柄の組み合わせにより構成される。そして、役を構成する図柄の組み合わせがいずれかの有効ライン上に停止表示されることにより、当該役に応じた所定枚数のメダルが払い出される。例えば、「ベル」「ベル」「ベル」の図柄の組み合わせがいずれかの有効ライン上に停止表示されることにより、ベル役に応じた所定枚数（例えば１５枚）のメダルが払い出される。
【００３１】
また、有利遊技移行役は、後述する役抽選手段110による役抽選により当該役に当選することで、後述する有利遊技へ移行することが決定されるとともに、有効ライン上に所定の図柄の組み合わせが停止表示されることにより、メダルが払い出されるものである。有利遊技移行役は、図６に示すように、「赤７」「リプレイ」「リプレイ」の図柄の組み合わせにより構成される。なお、リプレイ図柄は２重丸の中に大文字Ｒからなる。そして、役抽選手段110による役抽選により当該役に当選することで、有利遊技へ移行することが決定されるとともに、有効ライン上にこの図柄の組み合わせが停止表示されることにより、所定枚数（例えば９枚）のメダルが払い出される。なお、有利遊技移行役は、後述するビッグボーナスゲーム中においてのみ抽選される役である。
【００３２】
また、再遊技役は、図６に示すように、「リプレイ」「リプレイ」「リプレイ」の図柄の組み合わせにより構成される。そして、いずれかの有効ライン上にこの図柄の組み合わせが停止表示されることにより、メダルを新たに投入することなく前回の遊技と同じ条件で再度遊技を行うことができる。
また、図６に示すように、ボーナス役には、ＢＢ役と、ＲＢ役とがある。ＢＢ役は、「赤７」「赤７」「赤７」の図柄の組み合わせにより構成される。そして、有効ライン上にこの図柄の組み合わせが停止表示されることにより、後述するビッグボーナスゲームへ移行する。また、ＲＢ役は、「ＢＡＲ」「ＢＡＲ」「ＢＡＲ」の図柄の組み合わせにより構成される。そして、有効ライン上にこの図柄の組み合わせが停止表示されることにより、後述するレギュラーボーナスゲームへ移行する。
【００３３】
なお、本実施の形態では、ボーナス役は、メダルの払い出しを行うことなく、特別遊技へ移行するようになっているが、所定枚数（例えば１５枚）のメダルを払い出した後に、特別遊技へ移行するように設定してもよい。
（特別遊技制御手段80）
特別遊技とは、遊技者にとって通常遊技よりも有利な遊技をいい、特別遊技制御手段80は、特別遊技を制御するものである。
特別遊技としては、ビッグボーナスゲーム（ＢＢゲーム）と、レギュラーボーナスゲーム（ＲＢゲーム）とがある。ＢＢゲームとは、所定の役の当選確率が通常遊技よりも高い遊技を複数回実行可能な遊技であって、所定枚数（例えば３６９枚）のメダルの払い出しにより終了する遊技である。また、ＲＢゲームとは、ＢＢゲームと同じく、所定の役の当選確率が通常遊技よりも高い遊技を複数回実行可能な遊技であって、ＢＢゲームよりも少ない所定枚数（例えば９９枚）のメダルの払い出しにより終了する遊技である。
【００３４】
また、本実施の形態では、特別遊技制御手段80は、特別遊技（ＢＢゲーム及びＲＢゲーム）中のメダルの払い出し枚数をカウントする払出枚数カウンタを有している。
具体的には、通常遊技において、役抽選によりＢＢ役に当選すると、いずれかの有効ライン上に、ＢＢ役に対応する「赤７」「赤７」「赤７」の図柄の組み合わせが当選した役に応じて揃い得るようになり、「赤７」「赤７」「赤７」の図柄の組み合わせが揃い、停止表示されると、ＢＢゲームへ移行する。
ＢＢゲームへ移行すると、役抽選で所定の役に当選する確率が通常遊技中よりも高くなるとともに、２枚のメダルのベットにより遊技が開始可能となり、図８に示すように、有効ラインが中段ラインのみとなる。そして、有効ライン上に、当選した役に対応する図柄の組み合わせが停止表示されると、当該役に応じた所定枚数のメダルが払い出されるとともに、払出枚数カウンタにより払い出されたメダルの枚数がカウントされる。
【００３５】
そして、ＢＢゲーム中のメダルの累計払い出し枚数が所定枚数（例えば３６９枚）に達すると、ＢＢゲームは終了して、通常遊技または後述する有利遊技へ移行する。
また、通常遊技において、役抽選によりＲＢ役に当選すると、いずれかの有効ライン上に、ＲＢ役に対応する「ＢＡＲ」「ＢＡＲ」「ＢＡＲ」の図柄の組み合わせが揃い得るようになり、「ＢＡＲ」「ＢＡＲ」「ＢＡＲ」の図柄の組み合わせが揃い、停止表示されると、ＲＢゲームへ移行する。
ＲＢゲームへ移行すると、ＢＢゲームと同様の遊技が行われる。そして、有効ライン上に、当選した役に対応する図柄の組み合わせが停止表示されると、当該役に応じた所定枚数のメダルが払い出されるとともに、払出枚数カウンタにより払い出されたメダルの枚数がカウントされる。
【００３６】
そして、ＲＢゲーム中のメダルの累計払い出し枚数が所定枚数（例えば９９枚）に達すると、ＲＢゲームは終了して、通常遊技へ移行する。
なお、本実施の形態では、特別遊技（ＢＢゲーム及びＲＢゲーム）は、所定枚数のメダルの払い出しにより終了するものであるが、特別遊技の終了条件としては他の条件（例えば遊技回数）を設定することもできる。
また、払出枚数カウンタによるカウントは、カウントアップによる方法でもカウントダウンによる方法でもよい。
（役抽選手段110）
役抽選手段110は、スタートスイッチ30の操作を契機に、複数の役のいずれかに当選か又はハズレかの役抽選を行うものである。役抽選手段110は、乱数発生手段と、乱数抽出手段と、役抽選テーブルと、判定手段とを備えている。
【００３７】
乱数発生手段は、役抽選用の乱数を、所定の範囲内（例えば、１０進数で０〜６５５３５）で発生させるものである。また、乱数抽出手段は、乱数発生手段が発生させた乱数を、所定の契機（例えば、スタートスイッチ30の操作）で抽出するものである。なお、乱数発生手段は、カウンタ回路などによって構成されるため、乱数発生手段が発生させる数値は、厳密には乱数ではない。ただ、スタートスイッチ30が操作されるタイミングは、ランダムであると考えられるため、乱数抽出手段が抽出する数値は、実質的には乱数として取り扱うことができる。
また、役抽選テーブルは、乱数発生手段が発生させる範囲内の各乱数について、複数の役のいずれかに当選か又はハズレかをあらかじめ定めたものである。本実施の形態では、役抽選テーブルには、通常遊技および後述する有利遊技において用いられる一般役抽選テーブルと、ＢＢゲームおよびＲＢゲームにおいて用いられる特別役抽選テーブルとがある。それらの抽選テーブルには、当選の領域と、ハズレの領域とが設定されている。なお、当選の領域としては、１つの役にのみ当選する単独当選領域の他に、複数の役に同時に当選する重複当選領域を設定することもできる。（なお、かかる重複当選領域を設定するような場合には、役抽選手段110による役抽選で、複数の役に重複当選すると、当選した複数の役それぞれに対応する当選フラグが成立する。そして、このフラグの成立中に、いずれかの有効ライン上に、役抽選で当選した役に対応する図柄の組み合わせが停止表示されると、遊技者に対して、メダルの払い出しや、特別遊技等の利益が付与される。）
また、判定手段は、乱数抽出手段が抽出した乱数と、役抽選テーブルとを照合して、複数の役のいずれかに当選か又はハズレかの判定を行うものである。具体的には、判定手段は、複数の役のいずれかに当選か又はハズレかの判定を行う際に、その時点における遊技状態に対応する役抽選テーブルを適宜用いて、当該判定を行うものとなっている。
【００３８】
そして、役抽選手段110による役抽選で、いずれかの役に当選すると、当選した役に対応する当選フラグが成立する。
ここで、当選フラグには、役抽選手段110による抽選の結果が、小役の当選である場合に成立する小役当選フラグ（プラム当選フラグ、ベル当選フラグ、チェリー当選フラグ、３択役青７当選フラグ、３択役白７当選フラグ、３択役赤７当選フラグ、及び有利遊技移行当選フラグ）と、役抽選手段110による抽選の結果が、再遊技役の当選である場合に成立する再遊技当選フラグと、役抽選手段110による抽選の結果が、ボーナス役の当選である場合に成立するボーナス当選フラグ（ＢＢ当選フラグ及びＲＢ当選フラグ）とがある。
【００３９】
そして、小役当選フラグ、及び再遊技当選フラグは、成立した遊技においてのみ有効となるものの、ボーナス当選フラグは、次の遊技へ持ち越すことができるものとなっており、当選したボーナス役に対応する図柄の組み合わせがいずれかの有効ライン上に停止表示されることにより消去されるものとなっている。
（回胴演出抽選手段120）
回胴演出抽選手段120は、スタートスイッチ30の操作を契機に、回転リール40による回胴演出を実行するか否かの抽選を行うものである。回胴演出抽選手段120は、乱数発生手段と、乱数抽出手段と、回胴演出抽選テーブルと、判定手段とを備えている。乱数発生手段と、乱数抽出手段とは、役抽選手段110と同様のものである。回胴演出抽選テーブルは、乱数発生手段が発生させる範囲内の各乱数について、回胴演出を実行するか否かを予め定めたものである。また、判定手段は、乱数抽出手段が抽出した乱数と、回胴演出抽選テーブルとを照合して、回胴演出を実行するのに当選か又はハズレかの判定を行うものである。
【００４０】
本実施の形態では、通常遊技中の所定の場合に、回胴演出制御手段170による回胴演出を可能とするべく、回胴演出抽選手段120による抽選を行っている。この回胴演出抽選手段120の抽選に当たった場合に限って、回胴演出制御手段170による回胴演出を実行しているものである。その際の抽選確率は、役抽選手段110の抽選の結果に応じて、種々変更した抽選確率を使用している。具体的には、ＢＢ役に当選している場合の抽選確率は、高確率に設定し、その他の役の当選やハズレのときは、抽選を行わないように設定されているものである。なお、ＢＢ役の当選時のみ回胴演出が発生可能としているが、特にこれに限定されることなく、他の役や、ハズレのときに発生可能としても良いし、また、通常遊技ではなく、有利遊技等の他の所定の遊技中や、その移行役の当選時や、その他の役の当選時等に回胴演出の発生が可能としてもよい。
【００４１】
なお、役抽選手段110の抽選の結果等とは無関係に予め別個独立に設定された数値を抽選確率に使用してもよい。
（遅延時間抽選手段400）
遅延時間抽選手段400は、遅延実行手段420により当該遅延処理が行われる遅延時間を、抽選により決定するためのものである。
遅延時間抽選手段400は、遅延実行手段420により遅延処理が行われる時間を、抽選により決定するものである。この遅延時間抽選手段400は、乱数発生手段と、乱数抽出手段と、遅延時間抽選テーブルと、判定手段とを備えている。乱数発生手段と、乱数抽出手段とは、役抽選手段110と同様のものである。遅延時間抽選テーブルは、乱数発生手段が発生させる範囲内の各乱数について、予め定めた遅延時間を決定するものである。また、判定手段は、乱数抽出手段が抽出した乱数と、遅延時間抽選テーブルとを照合して、遅延時間を決定するものである。なお、この遅延時間抽選手段400は、乱数発生及び乱数抽出は、スタートスイッチ30の操作を契機として、乱数だけを抽出しておき、その後の判定処理等は、実際に回胴演出処理が開始された後に実行されるように形成されている。もちろん、スタートスイッチ30の操作を契機として、判定処理を含む全ての処理を完了させておいてもよい。
【００４２】
また、乱数抽出をスタートスイッチ30の操作を契機とせずに、回胴演出開始後の所定の契機時に、乱数発生、乱数抽出、判定処理を別に実施してもよい。
なお、この遊技機10では、後述する遅延実行手段420により、回胴演出終了時から遅延時間抽選手段400により決定された遅延時間が経過するまで、ストップスイッチ50による停止操作を不能にすると共に、遅延時間の経過後にストップスイッチ50による停止操作を可能となるように形成されている。
（回転制御手段250）
回転制御手段250は、スタートスイッチ30の操作を契機に、３個すべての回転リール40の回転を開始させるとともに、３個すべての回転リール40の回転駆動を制御するものである。具体的には、回転制御手段250は、スタートスイッチ30の操作を契機に、３個すべての回転リール40の回転を開始させて、その回転速度が所定の定常回転速度に達するまで速度を増加させる。そして、回転制御手段250は、回転リール40の回転速度が所定の定常回転速度に達したときには、回転リール40を所定の定常回転速度で定速回転させる定速処理を行う。
【００４３】
また、本実施の形態では、回転制御手段250は、後述する回胴演出制御手段170から回胴演出を開始する旨の信号が入力された場合には、回転リール40の回転を開始させてその回転速度を増加させる処理の開始を一旦保留する。そして、回転制御手段250は、回胴演出制御手段170から回胴演出を終了する旨の信号が入力されたことを契機に、回転リール40の回転速度を所定の定常回転速度に調整する速度調整処理を開始する。
具体的には、回転制御手段250は、速度調整処理を開始する際に、回転を停止している回転リール40に対しては、回転を開始させて速度を増加させる速度調整処理を行い、その後定速処理を行う。また、速度調整処理を開始する際に、所定の定常回転速度よりも遅い速度で回転中の回転リール40に対しては、その回転速度が所定の定常回転速度に達するまで速度を増加させ、その後、所定の定常回転速度を維持する定速処理を行う。なお、定常回転速度が、それ以前の回転速度よりも低いような設定になっているような場合には、その回転速度が所定の定常回転速度に達するまでの速度を減少させることになる。
【００４４】
また、本実施の形態では、回転リール40を所定の定常回転速度で回転させるための移行処理、いわゆる定常回転処理（速度調整処理）が終了してから、ストップスイッチ50の操作が有効となるように形成されている。
（ウェイト制御手段190）
ウェイト制御手段190は、１回の遊技における遊技時間が、予め定められた所定時間（以下、「ウェイト時間」と称す。）以下とならないように制御するものである。本実施の形態では、ウェイト時間は、４．１秒に設定されている。また、本実施の形態では、ウェイト制御手段190は、計時手段150によりウェイト時間を計時している。具体的には、ウェイト制御手段190は、一の遊技において、回転制御手段250により回転リール40の回転が開始されたことを契機に、計時手段150に計時を開始させる。そして、次の遊技において、回転制御手段250により回転リール40の回転が開始されたことを契機に、計時手段150による計時をリセットして再度計時を開始させる。そして、それ以降の遊技においても同様に、毎遊技、回転制御手段250により回転リール40の回転が開始されたことを契機に、計時手段150による計時をリセットして再度計時を開始させる。
【００４５】
そして、ウェイト制御手段190は、遊技の開始に係るスタートスイッチ30が操作された際における、計時手段150により計時される計時時間が４．１秒以下であった場合には、回転制御手段250による、３個すべての回転リール40の回転を開始させる処理の開始を一旦保留し、計時時間が４．１秒経過した後に、保留した回転制御手段250による当該処理を開始させる。
また、本実施の形態では、遊技の開始に係るスタートスイッチ30が操作されると、後述する回胴演出制御手段170により、遊技の進行が遅延されるとともに、その間に回転リール40を用いた演出である回胴演出（回転リール演出）が実行される場合がある。このような場合には、ウェイト制御手段190は、スタートスイッチ30の操作を契機に、計時手段により計時される計時時間が４．１秒以下であるか否かを判断する。そして、計時時間が４．１秒以下であった場合には、ウェイト制御手段190は、回転制御手段250による、３個すべての回転リール40の回転を開始させる処理の開始を一旦保留するウェイト処理を実行し、計時時間が４．１秒経過した後に、保留した回転制御手段250による当該処理を開始可能とする。このとき、回胴演出制御手段170は、計時時間が４．１秒経過した後に、回胴演出を実行する。すなわち、計時時間が４．１秒経過した後に、遊技の進行を遅延させて、その間に回胴演出を実行する。なお、これに限定せず、回胴演出制御手段170による回胴演出を実行する場合には、必ず４．１秒の制限をクリアするような設定時間になっているような場合には、上述したように、４．１秒経過した後に回胴演出を実行するのではなく、スタートスイッチ30の操作時点で４．１秒を経過していなくても、回胴演出を実行するように形成してもよい。
【００４６】
また、本実施の形態では、ウェイト制御手段190は、回胴演出が実行された場合には、回胴演出が終了して、回転制御手段250により回転リール40の回転が開始されたことを契機に、計時手段に計時を開始させる。すなわち、ウェイト制御手段190は、回胴演出制御手段170から回転制御手段250に回胴演出を終了する旨の信号が入力されて、回転制御手段250により回転リール40の回転が開始されたことを契機に、計時手段に計時を開始させる。
なお、ウェイト制御手段190は、回転制御手段250により回転リール40の回転が開始されたことを契機に、計時手段に計時を開始させるものであるがこれに限られるものではない。例えば、回胴演出が実行される場合には、ウェイト制御手段190は、当該回胴演出開始から終了までのうちのいずれかのタイミングから計時手段に計時を開始させるようにしてもよい。
【００４７】
（停止制御手段130）
停止制御手段130は、役抽選手段110の抽選の結果と、各ストップスイッチ50が操作された際における対応する回転リール40の回転位置とに基づいて、各回転リール40の回転を停止させるものである。
具体的には、停止制御手段130は、各ストップスイッチ50が操作された際における対応する回転リール40の回転位置を、対応するインデックスが検知されてから対応するストップスイッチ50が操作されるまでの間における対応するステッピングモータのステップ数で特定しつつ、ストップスイッチ50が操作された時点で、有効ライン上に直ちに停止できる図柄（すなわち、回転リール40の回転位置）を基準として、この図柄から回転方向に予め定められた個数（最大スベリコマ数、例えば４コマ）移動した図柄までの範囲内で、対応する回転リール40を停止させるように形成されている。
【００４８】
そして、停止制御手段130は、役抽選手段110の抽選の結果がいずれかの役に当選の場合には、各回転リール40の回転を停止させるに際し、当選した役に対応する図柄の組み合わせが、いずれかの有効ライン上に極力揃うように、かつ、当選した役以外の役に対応する図柄の組み合わせについては、いずれの有効ライン上にも揃わないように、引き込み制御及び蹴飛ばし制御を行い、一方、役抽選手段110の抽選の結果がハズレの場合には、各回転リール40の回転を停止させるに際し、いずれの有効ライン上にも、いずれの役に対応する図柄の組み合わせも揃わないように、蹴飛ばし制御を行う。
また、本実施の形態では、原則として、単独の当選フラグが別個独立に成立するものであるが、複数の当選フラグを同時に成立（重複当選）させるようにしてもよい。このような場合に、停止制御手段130は、引き込み制御において、当選した複数の役のうちいずれの役を優先して引き込むかを予め設定している。具体的には、停止制御手段130は、引き込み優先順位を、「再遊技役」＞「ボーナス役」＞「小役」に設定している。なお、その引き込み優先順位を、「再遊技役」＞「小役」＞「ボーナス役」の順に設定してもよい。
【００４９】
また、本実施の形態では、停止制御手段130は、図柄の停止位置を予め定めた停止テーブルを備え、上記した引き込み制御及び蹴飛ばし制御を、この停止テーブルを用いて行う。
具体的には、停止制御手段130は、１つのフラグ状態ごとに１つの停止テーブルを備えている。ここで、フラグ状態とは、例えばプラム当選フラグが成立している状態や、ベル当選フラグが成立している状態などである。
そして、例えば、プラム当選フラグが成立している状態において用いられる停止テーブルである「プラム当選テーブル」には、プラム役に対応する図柄の組み合わせが、有効ライン上に優先して揃い得るように、かつ、プラム役以外の役に対応する図柄の組み合わせについては、有効ライン上に揃わないように設定されている。
【００５０】
なお、停止制御手段130は、１つのフラグ状態および遊技状態ごとに、１つの停止テーブルを備えるようにしてもよい。なお、ここで、遊技状態とは、通常遊技であって、ボーナス当選フラグが成立している状態（内部当選状態）や、通常遊技であって、ボーナス当選フラグが成立していない状態（内部非当選状態）や、ＲＢゲームなどである。
また、停止制御手段130は、引き込み制御及び蹴飛ばし制御を、所定の図柄を停止させるか否かを判断しながら制御を行うプログラム制御により行うようにしてもよい。
（停止図柄判定手段140）
停止図柄判定手段140は、すべての回転リール40の回転が停止した際に、いずれかの役に対応する図柄の組み合わせがいずれかの有効ライン上に停止表示されているか否かを判定し、この判定結果に基づいた制御を行うものである。すなわち、所定の役を構成する図柄の組み合わせが停止表示された場合に、この停止表示された役に応じた信号を出力するように形成されている。
【００５１】
具体的には、停止図柄判定手段140は、各制御手段に信号を出力する。そして、例えば、小役に係る信号が入力された遊技制御手段27は、貯留払い出し手段65を作動させて所定枚数のメダルを払い出すように制御する。また、例えば、再遊技役に係る信号が入力された遊技制御手段27は、再度の遊技の制御を行う。また、例えば、ボーナス役に係る信号が入力された特別遊技制御手段80は、特別遊技を開始する。より具体的には、例えば、ＢＢ役に係る信号が入力された特別遊技制御手段80は、ＢＢゲームを開始する。
（計時手段150）
計時手段150は、所定時間を計時するためのものであって、本実施の形態を実施するにあたって、種々の時間を時間するものであり、複数のタイマー機構を備えているものである。例えば、１回の遊技制限時間である４．１秒の計時も行うとともに、回胴演出制御手段170による回胴演出の所定図柄が揃った状態（所定態様を維持した状態）で回転させる時間等の計時等も行うものである。また、その他の種々の時間を、計時或いはカウントするためのものである。その方法は、所定時間までのカウントアップによるものであるが、これに限定されず所定時間からのカウントダウンによるものでもよい。
【００５２】
（回転位置判断手段161（回転位置検出手段160））
回転位置判断手段161は、回転位置検知装置46からのインデックス47がインデックスセンサ48を通過したタイミングと、その時点からのステッピングモーター64へのパルス信号の入力数とに基づいて、各回転リール40の現在の回転位置を把握するためのものである。この回転位置判断手段161と回転位置検知装置46（インデックス47及びインデックスセンサ48）とにより、回転リール40の回転位置を検出する回転位置検出手段160を構成している。これにより、予め定めた基準の位置、例えば、表示窓13の中段位置を中心として、その上下の上段及び下段に現在、通過している図柄を回転中であってもリアルタイムで認識することが可能となるものである。そして、そのデータは、インデックス47がインデックスセンサ48を通過するごとに最新の正確なデータに更新されるように形成されている。そして、この回転位置判断手段161により検出された３つの回転リール40の回転中の回転位置データは、更新される毎に、回胴演出中、回転位置判断手段161へ送出されるように形成されている。なお、ここで、データの更新とは、インデックスセンサ48をインデックス47が通過するごとに、回転位置判断手段161におけるパルス信号の入力数に基づくステップ数のカウントが０にリセットされ、それに基づく基準位置等の種々のデータが適正なものになることを意味する。
【００５３】
（回胴演出データ記憶手段210）
回胴演出データ記憶手段210は、回胴演出制御手段170による回胴演出の時間や、その回胴演出の実行内容とを予め定めた回胴演出データを記憶するものである。
具体的には、回胴演出における各回転リールの回転速度や、その回転速度における時間等のデータを予め記憶させているものである。
（回胴演出制御手段170）
回胴演出制御手段170は、回胴演出抽選手段120の抽選の結果、回胴演出を実行することに決定した場合に、遊技の進行を遅延させるとともに、その間に回転リール40を用いた演出である回胴演出（回転リール演出）を実行するものである。なお、このときの「遊技の進行の遅延」は、一般に「フリーズ演出」などと称されるものである。
【００５４】
また、本実施の形態では、回胴演出制御手段170は、回胴演出抽選手段120の抽選の結果に基づいて、回胴演出データ記憶手段210から入手した回胴演出データによって、回胴演出を実行するように形成されている。
回胴演出制御手段170は、回転リール40が回転を開始した後、ストップスイッチ50の操作が可能となる前に、回転位置検出手段160により検出した特定図柄61aである図柄「赤７」の位置を回転中の複数の回転リール40同士で比較したときに特定図柄61aが複数の回転リール40により構成される所定の配置態様のままで回転するように所定の回転リール40の回転態様を変更させ、その後、その所定の配置態様を維持した複数の回転リール40を同一回転速度で回転させる回胴演出を行うものである。本実施の形態では、回転態様として、回転リール40の回転速度を変更させている。
【００５５】
具体的には、回胴演出制御手段170は、図９及び図１０の時間Ａ、Ｂ、Ｃ及びＤの間の回胴演出を実行するものである。ここで、図９及び図１０に示す第１、第２及び第３の回転リール40は、順に、左リール43、中リール44及び右リール45に設定され、左リール43を基準として中リール44及び右リール45の回転速度を変更するように形成されているが、もちろん、これに限定されるものではなく、右リール45や中リール44を基準にしてもよいものである。
先ず、図９及び図１０に示すように、時刻Ｔ１までに、左リール43の回転速度がＶ３となり、中リール44の回転速度がＶ４となり、右リール45の回転速度がＶ２となるように、パルス信号の出力を制御する。そして、各回転リール40の回転速度をその設定した回転速度で維持する。
【００５６】
そして、回胴演出制御手段170は、左リール43及び右リール45の特定図柄61a（具体的には、ＢＢ役の「赤７」）の間隔を、回転位置判断手段161からの回転位置データから採取し、左リール43と右リール45との回転速度差（Ｖ２−Ｖ３）から特定図柄61aが横並びに並列して回転するまでの時間Ｂを算出して、その時間だけ回転させる。そして、回胴演出制御手段170は、その後、右リール45の回転速度をＶ２からＶ３へ減速して、時刻Ｔ２に到達したときに、左リール43及び右リール45の図柄「赤７」を横並びに配置した状態で回転させるように、パルス信号を制御する。そして、回胴演出制御手段170は、左リール43及び右リール45がその回転速度Ｖ３を維持して時刻Ｔ４迄、同一回転速度Ｖ３で回転させる制御を行う。
【００５７】
一方、回胴演出制御手段170は、左リール43及び中リール44の特定図柄61a（具体的には、ＢＢ役の「赤７」）の間隔を、回転位置判断手段161からの回転位置データから採取し、左リール43と中リール44との回転速度差（Ｖ３−Ｖ４）から特定図柄61aが横並びに並列して回転するまでの時間（Ｂ＋Ｃ）を算出して、その時間（Ｂ＋Ｃ）だけ、かかる速度差で回転させる。そして、回胴演出制御手段170は、その後、中リール44の回転速度をＶ４からＶ３へ速度を増加して、時刻Ｔ３に到達したときに、左リール43及び中リール44の図柄「赤７」を横並びに配置した状態で回転させるように、パルス信号を制御する。そして、回胴演出制御手段170は、左リール43及び中リール44はその回転速度Ｖ３を維持して時刻Ｔ４迄、同一回転速度Ｖ３で回転させる制御を行う。
【００５８】
これにより、回胴演出制御手段170は、時刻Ｔ３からＴ４まで、３個の回転リール40の図柄「赤７」を横並びに並列させた状態で、回転させる回胴演出を実施することができる。
回胴演出制御手段170は、回転位置判断手段161からの回転リール40の回転位置データ及び回胴演出データ記憶手段210に記憶させている回転速度及び維持時間等のデータに基づき、内部の演算手段により時間等を算出しているものである。そして、この演算算出は、回転位置判断手段161からの最新の回転位置データの更新により、その都度、演算結果の修正を行いながら実行しているものである。すなわち、回胴演出制御手段170は、回転リール40を制御するのに回転位置及び回転速度から算出される所定の時間等の時間経過情報と、略リアルタイムで入ってくる回転リール40の回転位置情報との両方で、回転リール40を制御しているものである。なお、回胴演出制御手段170は、これに限定されることなく、所定の時間経過情報を主として回転リール40を制御してもよく、また、回転位置情報を主として回転リール40を制御してもよい。
【００５９】
例えば、現在の図柄位置情報だけを判定して、その判定結果が所定の図柄位置になるまで、所定の回転速度を継続するように制御し、所定の図柄位置となったときに回転速度を変更等するように形成してもよい。
また、例えば、回胴演出制御手段170は、回胴演出開始時に、各回転リール40について、所定の回転速度で所定の時間、回転させることをセットする。そして、計時手段150のタイマー手段が、タイムアップしたら、次の処理（回転速度Ｖ３での回転処理）を行う。そこで、さらに計時手段150のタイマー手段によるタイマーをセットし、その状態（回転速度Ｖ３）で予め定めた所定時間が経過し（タイムアップし）、時刻Ｔ５に到達したら、そこから速度調整処理等に移行するように、主に時間経過を判定するだけで制御するように形成してもよい。
【００６０】
なお、回胴演出制御手段170は、上述したように、採取した各種データに基づいて内部の演算手段により回転リール40の回転を制御しているが、特にこのようなものに限定されるものではなく、最初の停止位置データから、予め全ての位置データ及びその位置データから算出される回転速度及びその維持時間等を記録したデータテーブルを、回胴演出データ記憶手段210に設けておき、当初の停止位置データ及び予め記憶したデータに基づいて、回転リール40を制御するようにしてもよい。
また、ここでは、３個の回転リール40の図柄「赤７」を、上段ラインＬ１、中段ラインＬ２及び下段ラインＬ３に対応すべく、同一回転速度で横並びに並列した状態を所定の配置態様として、回転させているが、特にこれに限定されるものではない。例えば、右上りラインＬ４に対応すべく、右上り斜めに１個ずつずれた状態で図柄「赤７」を配置したものを所定の配置態様として、回転させるようにしてもよい。また、右下りラインＬ５に対応すべく、右下り斜めに１個ずつずれた状態で図柄「赤７」を配置したものを所定の配置態様として、回転させるようにしてもよい。また、その他の折れ線状のラインが設定されているような場合には、かかる折れ線状等のラインを想起する（対応する）ことができるような配置態様に、図柄「赤７」を配置してもよいものである。
【００６１】
なお、本実施の形態は、いわゆるフリーズ演出期間中に回胴演出を実施しているものであるが、回胴演出制御手段170とは別にフリーズ制御手段を設けて上述したような回胴演出を行わない、遊技の進行を遅延させるフリーズ演出だけを実施することもできる。
（遅延実行手段420）
遅延実行手段420は、回胴演出制御手段170による回胴演出の終了後の所定区間において遅延処理を行うためのものである。
この遅延実行手段420は、回胴演出終了時から遅延時間抽選手段400により決定された遅延時間が経過するまで、ストップスイッチ50による停止操作を不能にすると共に、遅延時間の経過後にストップスイッチ50による停止操作を可能となるように形成されている。
【００６２】
本実施の形態では、図１０に示すように時刻Ｔ４まで、回胴演出制御手段170による回胴演出が実行される。そして、遅延実行手段420は、時刻Ｔ４から時刻Ｔ５までの間に、遅延時間抽選手段400により決定された遅延時間Ｅ１を実行するものである。その間、遅延実行手段420は、回胴演出制御手段170に、時刻Ｔ４において回胴演出が終了した後も、時刻Ｔ５まで、３個の図柄が揃った状態の回転リール40の回転を継続させるとともに、その間は、ストップスイッチ50の停止操作は不能な状態に維持するものである。
図１１は、時刻Ｔ４からＴ５までの遅延時間Ｅ２が、図１０の遅延時間Ｅ１よりも短い場合の概念図を示しているものである。また、図１２は、遅延時間Ｅ３が、遅延時間抽選手段400の抽選の結果、０となった場合の概念図を示している。いずれもストップスイッチ50の操作が有効となる時刻はＴ６であり、かかる時刻Ｔ６の時期が、遅延時間の変動により変動することになる。
【００６３】
なお、ここで、通常、回転リール40による回胴演出を行わないような場合には、回転リール40は、回転停止状態から回転を開始して、回転速度を増加させ、その後、所定時間を経過して、回転速度が一定の安定したものとなる（速度調整処理）。本実施の形態では、かかる安定した回転速度を、定常回転速度Ｖ１として設定している。
また、ここで、図１１に示すように、遅延時間は、時刻Ｔ４からＴ５までの時間に設定されているが、必ずしもこれに限定されるものではない。例えば、図１１に示す遅延時間には、回転リール40の回転速度Ｖ３から定常回転速度Ｖ１に増加させる時刻Ｔ５からＴ６までの時間や、時刻Ｔ６以降は含まれていないが、これらの時間を含めるようにしてもよい。具体的には、例えば、図１３に示すように、時刻Ｔ４からＴ５までの遅延時間ｃだけでなく、時刻Ｔ４からＴ６までの定常回転速度Ｖ１に増加中の時間を含めた遅延時間ｂに設定してもよい。また、時刻Ｔ４からＴ７までの定常回転速度Ｖ１に到達した後までの時間も含めた遅延時間ａに設定してもよい。いずれの場合も、スタートスイッチ30の操作が可能となる時刻は、遅延時間が終了した以降となるものであって、スタートスイッチ30の操作が可能となる時刻は、遅延時間ｃの場合は、時刻Ｔ５以降（実際には、時刻Ｔ６以降）に設定され、また、遅延時間ｂの場合は、時刻Ｔ６以降に設定され、遅延時間ａの場合は、時刻Ｔ７以降に設定される。なお、遅延時間ｃの場合は、スタートスイッチ30の操作が可能となる時刻は、時刻Ｔ５以降であっても、回転リール40の回転速度が定常回転速度Ｖ１に到達する必要があるため、現実的にはＴ６以降となり、遅延時間ｂと停止操作が可能となるタイミングは、同一の時刻Ｔ６以降となる。
【００６４】
また、上述した図１１に示すような遅延時間の場合は、遅延時間の終了後、或いは終了付近において、回転リール40を定常回転速度に移行させる時間Ｆが存在していたが、特にこれに限定されるものではなく、以下に示すように、種々の所定区間に遅延時間を設けることができる。例えば、かかる定常回転速度に移行させる時間Ｆを、遅延時間の最初の部分に設けるようにしてもよく、また、定常回転速度に移行した時間も遅延時間として含めるようにしてもよい。また、ここでの回胴演出は、所定図柄を揃った状態で同一回転速度で回転させるだけでなく、回転速度を変更したり、その揃った図柄を崩す等の種々の回胴演出を設定することができる。また、定常回転速度に移行する処理、いわゆる定常回転処理（速度調整処理）の終了後に遅延処理を行ってもよい。
【００６５】
（１）（遅延時間ｐ）具体的には、例えば、図１４に示すように、時刻Ｔ４から時刻Ｔ８の遅延時間ｐのように、回転リール40の回転速度Ｖ３を維持した状態から、回転速度を増加させて、定常回転速度Ｖ１にまで増加させ、更に定常回転速度Ｖ１に到達した後まで含むような所定区間に遅延時間を設けるようにしてもよい。かかる場合の回胴演出としては、回胴演出ｈが一例として考えられる。
（２）（遅延時間ｑ）また、図１４に示すように、時刻Ｔ５から時刻Ｔ８の遅延時間ｑのように、回転リール40の回転速度Ｖ３を定常回転速度Ｖ１に増加させ、更に定常回転速度Ｖ１に到達した後まで含む所定区間に遅延時間を設けるようにしてもよい。かかる場合の回胴演出としては、回胴演出ｈや、回胴演出ｉが一例として考えられる。
【００６６】
（３）（遅延時間ｒ）また、図１４に示すように、時刻Ｔ６から時刻Ｔ８の遅延時間ｒのように、回転リール40の回転速度を定常回転速度Ｖ１に到達してから所定時間までの所定区間に遅延時間を設けるようにしてもよい。かかる場合の回胴演出としては、回胴演出ｈや、回胴演出ｉや、回胴演出ｊが一例として考えられる。
（４）（遅延時間ｓ）また、図１４に示すように、時刻Ｔ７から時刻Ｔ８の遅延時間ｓのように、回転リール40の回転速度を定常回転速度Ｖ１に到達した後、所定時間経過した後から所定時間までの所定区間に遅延時間を設けるようにしてもよい。かかる場合の回胴演出としては、回胴演出ｈや、回胴演出ｉや、回胴演出ｊや、回胴演出ｋが一例として考えられる。
【００６７】
なお、上記（１）〜（４）の場合、いずれも遅延時間が終了した後に、ストップスイッチ50の停止操作が有効となるように形成されている。
（有利遊技制御手段220）
有利遊技制御手段220は、有利遊技を制御するものである。本実施の形態に係る有利遊技制御手段220は、有利遊技として、表示装置68に、役抽選手段110の抽選の結果を示唆する情報を表示させることにより、当選した小役を遊技者に対して告知する、という態様の遊技を行う。このような態様の有利遊技は、アシストタイム（ＡＴ）などと呼ばれるものである。この有利遊技は、有利遊技移行役を有効ラインに停止表示させることにより、所定遊技回数だけ実施可能となるように形成されている。遊技者は、表示装置68に表示された情報を見て、当選した小役に対応する図柄の組み合わせがいずれかの有効ライン上に停止するようタイミングを図ってストップスイッチ50を操作することにより、告知がない場合と比較してより多くの小役に対応する図柄の組み合わせを有効ライン上に停止表示させることができ、ひいてはより多くの枚数のメダルを獲得することができる。これにより、有利遊技としてのアシストタイム（ＡＴ）は、遊技者にとって通常遊技よりも有利な遊技となっている。
【００６８】
具体的には、図６に示すように、小役としての３択役青７（青７、プラム、プラム）、３択役白７（白７、プラム、プラム）、３択役赤７（赤７、プラム、プラム）がある。図５に示すように、左リール43において、図柄「青７」と、図柄「白７」と、図柄「赤７」とは、例えば、表示窓13に停止又は引き込み可能な最大引き込み可能範囲が７コマの範囲である場合には、１個しか存在していない。このため、小役としての３択役青７、３択役白７、３択役赤７のうち、いずれかの役が当選している場合には、目押しの技量に優れたものであっても、いずれの役が当選しているか報知されない場合には、その引き込み確率は３分の１となる。それに対して、ＡＴ中では、かかる小役としての３択役青７、３択役白７、３択役赤７のうち、いずれの役が当選しているかを特定して遊技者に報知する。これにより、当選した図柄を有効ライン上に停止させることができる可能性が飛躍的に増加して、獲得できるメダル枚数を増加させることができるものである。
【００６９】
なお、本実施の形態では、回胴演出制御手段170による回胴演出は、通常遊技中にのみ実施可能に形成されており、特別遊技及び有利遊技中には実施されないように形成されている。しかし、これに限定されることなく、有利遊技中にも回胴演出制御手段170による回胴演出を実施するように形成してもよい。これにより、回胴演出による報知も加わり、遊技者に更に当選情報の報知の機会を付与することができる。
（演出データ記憶手段230）
演出データ記憶手段230は、実行する演出の演出データと、演出を実行する確率である実行確率を予め定めた実行確率データとを記憶するものである。演出の実行内容は、表示装置68の表示、演出用ランプ17の点灯・点滅、スピーカからの発音などにより構成されている。
【００７０】
（演出制御手段240）
演出制御手段240は、演出を実行するものである。本実施の形態では、演出制御手段240は、役抽選手段110による役抽選の結果に基づいて、演出データ記憶手段230からの演出データに基づいて、対応する演出を、演出抽選の結果により、実行可能とするように形成されている。
（遊技機10の動作）
以下、図１５及び図１６に示すフローチャートに基づいて、本実施の形態に係る遊技機10の動作の概略を説明する。
【００７１】
まず、遊技機10の遊技制御装置21における処理であるメイン制御処理について通常遊技のフローを説明する。
図１５に示すステップ１１０において、前回遊技において、再遊技役の図柄が有効ライン上に停止表示されたか否かが判定される。そして、再遊技役の図柄が停止表示されたと判定された場合、ステップ１１１に進み、停止表示されないと判定された場合、ステップ１１２に進む。
ステップ１１２において、所定枚数のメダルがベットされたか否かが判定される。そして、ベットされたと判定された場合、ステップ１１３に進み、ベット処理が行われ、ベットされていないと判定された場合、ステップ１１２の前に戻る。
【００７２】
ステップ１１１において、再遊技のベット処理が行われる。具体的には、遊技機10の内部の制御によりクレジット数を減らすことなく、遊技開始の条件としてのメダルが、遊技者が投入することなく、自動的に内部投入されるものである。そして、ステップ１１４に進む。
ステップ１１４において、スタートスイッチ30の操作が行われたか否かの判定が行われ、操作が行われたと判定された場合、次のステップ１１５に進み、操作が行われないと判定された場合、ステップ１１４の前に戻る。
ステップ１１５において、役抽選手段110により役抽選処理が行われる。そして、次のステップ１１６に進む。
【００７３】
ステップ１１６において、回胴演出抽選手段120により回胴演出抽選処理が行われる。なお、この回胴演出抽選処理では、所定の条件を満たした場合のみ実際の抽選が実行され、所定の条件を満たしていない場合には抽選が実行されない。もちろん、条件を満たしていない場合の抽選確率を０にして全ての場合に抽選を実行するようにしてもよい。そして、遅延時間抽選手段400により遅延時間抽選用の乱数が抽出される。そして、次のステップ１１７に進む。
ステップ１１７において、ウェイト制御手段190により、ウェイト時間を計時する計時手段により計時される計時時間が４．１秒以下であるか否かが判断される。ここで、４．１秒以下であると判断されると、ステップ１１８に進む。一方、４．１秒以下でない、すなわち４．１秒を超えていると判断されると、ステップ１１９に進む。
【００７４】
ステップ１１８において、ウェイト制御手段190によりウェイト処理が行われる。そして、次のステップ１１９に進む。
ステップ１１９において、回胴演出抽選手段120の抽選の結果に基づいて、回胴演出を行うか否かが判定される。そして、回胴演出を行うと判定された場合、次のステップ１２０に進み、回胴演出を行わないと判定された場合、ステップ１２１に進む。
ステップ１２０において、回胴演出制御手段170により回胴演出処理が実施され、遅延実行手段420により遅延処理が実施される。そして、次のステップ１２１に進む。
ステップ１２１において、回転リール40の定常回転速度への回転移行処理が行われる。そして、次のステップ１２２に進む。
【００７５】
ステップ１２２において、ストップスイッチ50が操作されたか否かが判定される。そして、ストップスイッチ50が操作されたと判定された場合、次のステップ１２３に進み、操作されていないと判定された場合、ステップ１２２の前に戻る。
ステップ１２３において、停止制御手段130により、操作されたストップスイッチ50に対応する回転リール40の停止制御が行われる。そして、次のステップ１２４に進む。
ステップ１２４において、遊技制御手段27により、全ての回転リール40の回転が停止したか否かが判断される。ここで、全ての回転リール40の回転が停止したと判断されると、ステップ１２５に進む。一方、全ての回転リール40の回転が停止していないと判断されると、ステップ１２２に戻る。
【００７６】
ステップ１２５において、停止図柄判定手段140により、いずれかの役に対応する図柄の組み合わせが、いずれかの有効ライン上に停止表示されたか否かが判断される。ここで、停止表示されたと判断されると、ステップ１２６に進む。一方、停止表示されていないと判断されると、当該処理が終了する。
ステップ１２６において、遊技制御手段27により、停止表示された図柄の組み合わせに対応する役に応じた処理が行われる。例えば、いずれかの小役に対応する図柄の組み合わせが停止表示された場合には、当該役に応じた枚数のメダルの払い出しが行われる。そして、当該処理が終了する。
【００７７】
次に上述した回胴演出処理及び遅延処理のフローについて説明する。
図１６に示すステップ２１１において、回胴演出制御手段170により、３つの回転リール40を別々の回転速度で回転を開始させる。そして、次のステップ２１２に進む。
ステップ２１２において、左リール43（左回胴）と右リール45（右回胴）は、指定の図柄位置（配置態様）か否かが判定される。具体的には、所定の時間経過情報及び図柄位置情報に基づいて、左リール43及び右リール45の図柄「赤７」が、横並びの並列状態で回転しているか否かが判定されるものである。そして、かかる図柄位置（配置態様）であると判定された場合、次のステップ２１３に進む。一方、かかる図柄位置でないと判定された場合、ステップ２１２の前に戻る。
【００７８】
ステップ２１３において、左リール43と右リール45の回転速度を同一の回転速度Ｖ３に合わせる。そして、次のステップ２１４に進む。
ステップ２１４において、左リール43（左回胴）と中リール44（中回胴）は、指定の図柄位置（配置態様）か否かが判定される。具体的には、所定の時間経過情報及び図柄位置情報に基づいて、左リール43及び中リール44の図柄「赤７」が、横並びの並列状態で回転しているか否かが判定されるものである。そして、かかる図柄位置（配置態様）であると判定された場合、次のステップ２１５に進む。一方、かかる図柄位置でないと判定された場合、ステップ２１４の前に戻る。
【００７９】
ステップ２１５において、左リール43と中リール44の回転速度を同一の回転速度Ｖ３に合わせる。そして、次のステップ２１６に進む。
なお、ここで、ステップ２１２及び２１３を行って左リール43と右リール45との図柄を揃え、その後、ステップ２１４及び２１５を行って左リール43と中リール44との図柄を揃えているが、揃える順番はこれに限定されるものではない。例えば、ステップ２１４及び２１５を先に行って左リール43と中リール44との図柄を揃え、その後、ステップ２１２及び２１３を行って左リール43と右リール45との図柄を揃えるようにしてもよい。具体的には、例えば、図１０を、右リール45が時刻Ｔ３まで回転速度Ｖ２を維持し、中リール44が時刻Ｔ２まで回転速度Ｖ４を維持するようなものにすることで可能になる。また、例えば、図９及び図１０を、右リール45のグラフと中リール44のグラフとを入れ替えたようなグラフ（右リール45のグラフが中リール44となり、中リール44のグラフが右リール45となる）にすることで簡単に実行可能なものである。
【００８０】
ステップ２１６において、所定時間経過後、遅延時間抽選手段400により、スタートスイッチ30の操作を契機として、抽出していた乱数値に基づいて、遅延時間抽選手段400の判定手段により遅延時間が決定する。そして、次のステップ２１７に進む。
ステップ２１７において、遅延実行手段420により、遅延時間抽選手段400の抽選により決定された遅延時間が経過したか否かが判定される。そして、遅延時間が経過していると判定された場合、当該処理が終了し、遅延時間が経過していないと判定された場合、ステップ２１７の前に戻る。
（作用・効果）
本実施の形態によれば、回胴演出制御手段170は、通常遊技中、回胴演出抽選手段120の抽選の結果、回胴演出を実行することに決定した場合、ストップスイッチ50の操作が可能となる前の回転リール40の回胴演出中に、図柄「赤７」を横並びに並列状態に配置した所定の配置態様のままで回転するように３個の回転リール40の速度を変更させる。具体的には、時刻Ｔ１からＴ３の間の時間（Ｂ＋Ｃ）の間に、３個の回転リール40の図柄「赤７」を揃えた状態にする。そして、時刻Ｔ３からＴ４の時間Ｄの間、かかる所定の配置態様を維持した状態で３個の回転リール40を同一回転速度で回転させる。これにより、３個の回転リール40において、通常遊技よりも遊技者の多くの利益を付与可能なＢＢゲームへ移行することが可能なＢＢ役の図柄である図柄「赤７」が並列状態である配置態様となった状態で回転するように揃わせることができる。このため、所定の利益付与の期待感を煽ることができる。
【００８１】
その後、遅延時間抽選手段400が、回胴演出制御手段170の回胴演出の終了後の所定区間において遅延処理を行い、当該遅延時間を、抽選により決定している。そして、この遅延時間が終了するまで、ストップスイッチ50の停止操作が不能となり、遅延時間の終了後に、定常回転速度に移行する処理、いわゆる定常回転処理（速度調整処理）が終了した場合、或いは定常回転処理（速度調整処理）が終了している場合には、停止操作が可能となる。このため、抽選により長さが変動する遅延時間の発生により、回胴演出の終了から停止操作可能なタイミングまでの時間が一定とならない。これにより、遊技者が、回胴演出が終了した時から同一の時間経過時に停止操作を行おうとしても、その停止操作のタイミングが外されてしまい、目押しの補助となるようなことを回避することができる。したがって、目押しの技量に熟練した遊技者にとっても、目押しの面白みが半減することもなく、遊技の興趣を向上させることができる。
【００８２】
（回胴演出における回転リール40の回転態様の一部変形例）
本実施の形態では、回転位置検出手段160により検出した特定図柄61aである図柄「赤７」の位置を回転中の複数の回転リール40同士で比較したときに図柄「赤７」が複数の回転リール40により構成される所定の配置態様のままで、すなわち図柄「赤７」が揃った状態で表示窓13に表示可能な状態で回転するように全回転リール40の回転態様を変更させ、その後、その所定の配置態様を維持した状態で複数の回転リール40を同一回転速度で回転させている。
ここで、図１０の時間Ａ、Ｂ、Ｃ及びＤにおいて行われる「回胴演出における回転態様」には、種々の一部変形例が考えられる。以下に種々の回転態様について記載する。なお、以下の一部変形例において、図９の説明と同様に、図面では、実線で左リール43、一点鎖線で中リール44を、二点鎖線で右リール45を表している。
【００８３】
（回胴演出における回転態様（１））
先ず、図１７に示すように、回転リール40の回転開始時の加速度を異なるように変更させているものである。ここで、図１７は、図１０の３個の回転リール40の回転速度の変化を示した概念図のうちの回転開始初期の部分を拡大したものである。ここでは、回転開始とともに３個の回転リール40の回転加速度をそれぞれ異ならせて回転させ、そして、時刻Ｔ１に到達したときに、３個の回転リール40の回転速度がＶ２、Ｖ３、Ｖ４に到達している。その後、既に説明したように、３個の回転リール40の回転速度を上述したように変えることで、左リール43と、中リール44と、右リール45との図柄「赤７」の回転中の相対位置を揃えている。この回胴演出制御手段170による「回転態様を変更」させるのは、上述したものに限定されるものではない。
【００８４】
（回胴演出における回転態様（２））
例えば、図１８に示すように、３個の回転リール40の回転開始とともに、回転加速度は、３個の回転リール40で同一に設定してもよい。そして、各回転リール40は、それぞれ回転速度Ｖ２、Ｖ３、Ｖ４に到達すると各速度で回転を維持し、左リール43との回転速度差で所定時間だけ回転することにより、図柄「赤７」を回転中、相対的に揃えて表示窓13に表示可能な状態にすることができる。
（回胴演出における回転態様（３））
また、回転開始前の停止位置の配置態様が前回遊技の停止位置の記憶等によって把握される場合には、３個の回転リール40の回転を、同時に開始させるのではなく、図１９に示すように、回転開始タイミングをずらすことにより、所定の図柄「赤７」を回転中、相対的に揃えることができる。具体的には、図１９に示すように、先ず、左リール43（図１９の実線）の回転を開始し、一定の回転加速度で、回転速度を増加させる。そのとき、中リール44及び右リール45は停止した状態のままである。そして、左リール43は、時刻Ｍ１に到達したときに、回転速度Ｖ２に到達し、速度Ｖ２の一定速度で回転を維持する。そして、その後、時刻Ｍ２において、右リール45（図１９の二点鎖線）の回転を開始した後、時刻Ｍ３において、中リール44（図１９の一点鎖線）の回転を開始させる。その回転開始タイミングをずらすことにより、時刻Ｍ４で左リール43と右リール45との図柄「赤７」が横並びに揃った状態のまま回転速度Ｖ２で回転を維持する。そして、時刻Ｍ５において、左リール43と中リール44との図柄「赤７」が横並びに揃った状態のまま回転速度Ｖ２で回転を維持し、結果として、３個の回転リール40は、図柄「赤７」を横並びに維持した状態で回転を維持することになる。その時刻Ｍ５以降の回転リール40の回転態様の動作は、第１の実施の図１０の時刻Ｔ３以降と同様である。
【００８５】
このように、回転リール40の回転開始タイミングをずらすことにより、回転リール40の回転加速度及び回転速度は、３個の回転リール40で全て同一に設定することができる。これにより、回転リール40の回転制御プログラミングの製作において、変動させるパラメータを時間だけに設定して、回転加速度及び回転速度は、全て共通にすることができ、制御プログラミングを容易なものにすることができる。
なお、かかる場合には、前回の遊技において、回転リール40の停止位置を記憶し、その記憶を今回の遊技まで維持する必要があるため、その記憶手段を有しているものである。
（回胴演出における回転態様（４））
また、図２０に示すように、３個の回転リール40を同時に回転を開始し、同一の回転加速度、同一の回転速度で回転した後、３個の回転リール40の停止タイミングをずらすことにより、図柄「赤７」を揃うように停止させることができる。そして、時刻Ｎ３で２個の回転リール40で図柄「赤７」が揃った状態で停止し、時刻Ｎ４で３個の回転リール40で図柄「赤７」が揃った状態で停止した状態となる。そして、その図柄「赤７」が揃った状態で停止した状態から、３個の回転リール40の同時に回転を開始し、同一回転加速度、同一回転速度で回転し、図柄「赤７」が揃った状態を時刻Ｎ５以降、見せながら演出として回転させるものである。それ以後は、第１の実施の形態の時刻Ｔ３と同様である。なお、一時停止させる回転リール40の順番は、適宜、変更することが可能である。
【００８６】
（回胴演出における回転態様（５））
また、図２１に示すように、３個の回転リール40のうち、所定の回転リール40を、図柄「赤７」が揃うように逆回転させて、その後、３個共、正回転させて図柄「赤７」が揃った状態にするものである。図２１に示す回転態様では、二点鎖線で示した右リール45だけ他の回転リール40が正回転を開始すると同時に逆回転させ、時刻Ｐ１まで逆回転の回転速度を増加させ、時刻Ｐ１以後、逆回転の回転速度を減少させる。そして、時刻Ｐ２において、回転速度が０の状態、すなわち停止状態となり、その後、時刻Ｐ２からＰ４まで、正回転で回転速度を増加させる。そして、時刻Ｐ４において、左リール43の図柄「赤７」と揃うような状態で表示窓13に表示可能な状態で回転速度Ｖ２で一定の回転速度となる。そして、右リール45も時刻Ｐ３で回転を開始し、時刻Ｐ５で他の２個の回転リール40の図柄「赤７」とも揃った状態となり、結果として、３個の回転リール40の図柄「赤７」が揃った状態で表示窓13に表示可能な状態で回転する。ここで、逆回転させる所定の回転リール40は、右リール45の１個だけであるが、特にこれに限定されるものではなく、他の回転リール40でも良いし、また、２個、或いは全部の回転リール40を逆回転させてもよい。
【００８７】
ここで、逆回転させるか否かの判断は、基準となる回転リール40（左リール43）と、それに対して速度を変更することにより図柄「赤７」を揃えさせようとする回転リール40との両者の図柄「赤７」の相対位置で決定するようにしてもよい。停止状態における両者の図柄「赤７」の位置の離れ具合を算出して、全て正回転で相対的な位置関係を所定の配置態様にしようとするよりも、正回転と逆回転とを組み合わせることにより、より早い時間で、所定の配置態様を実現できるような場合に逆回転を採用するように決定してもよいものである。具体的には、例えば、左リール43を中リール44よりも先に回転するように設定している場合に、左リール43の図柄「赤７」よりも１コマだけ、中リール44の図柄「赤７」が正回転の回転上流（回転方向と逆の側）に位置すると、全て正回転を採用のときは左リール43を２０コマ分、略１周させなければ、中リール44の図柄「赤７」に揃えることができない。しかし、左リール43を回転逆方向に１コマ回転させることができれば、左リール43を２０コマ、略１周させるよりも少ない回転量で、左リール43と中リール44との図柄「赤７」を揃えることが可能となり、全て正回転の場合よりも短時間で両者の図柄「赤７」を揃えることが可能となる。
【００８８】
また、上述した回胴演出における回転態様（１）〜（５）は、それぞれを適宜、組み合わせて使用することもできる。また、基準となる回転リール40は、特に左リール43に限定されるものではなく、また、回転開始の順番や、回転速度の大小は、各回転リール40で適宜、変更してもよい。
また、上記実施例において、インデックス47がインデックスセンサ48を切るタイミングがどの時点であるのか特に記載していないが、回胴演出制御手段170により、モータドライバ62から出力されるステッピングモーター64へのパルス数のカウントにより回転速度、回転速度の変動、現在の回転位置等を判断しているものであり、インデックス47がインデックスセンサ48を切ったタイミングで、その判断とずれが生じている場合に、そのずれを自動的に補正することができるように形成されている。そして、かかるずれ補正等により、上述したような複雑な回転速度の変動にも対応することができるように形成されている。
【００８９】
（他の一部変形例）
本実施の形態では、回胴演出は、ＢＢゲームの当選時にのみ発生可能としているが、有利遊技の移行役の当選時等、有利遊技を行う権利に当選した場合に回胴演出を行うように形成してもよい。
また、上述した実施の形態では、有利遊技として、当選した小役を遊技者に対して告知するアシストタイム（ＡＴ）を実行するとしたが、ＡＴに限られるものではなく、例えば、（ａ）ＢＢやＲＢ等のボーナス遊技の当選、（ｂ）その当選役が有効ラインに停止表示、（ｃ）ボーナス遊技の終了、（ｄ）通常遊技中に所定図柄が有効ラインに停止表示、（ｅ）上記ｃ又はｄのいずれかの契機から所定回数の遊技の終了、
上記（ａ）〜（ｅ）のいずれかの契機で、再遊技の当選確率を変動させるとともに遊技開始又は終了契機となるように設定したリプレイタイム（ＲＴ）を実行するようにしてもよい。
【００９０】
また、ＲＴ中においてＡＴを同時に実行可能なアシストリプレイタイム（ＡＲＴ）の遊技を行うようにしてもよい。また、例えば、いずれかの回転リール40のスベリコマ数を０コマ又は１コマにすることにより、いわゆる目押しを可能としたチャレンジタイム（ＣＴ）を実行するようにしてもよい。
また、上述した実施の形態では、アシストタイム（ＡＴ）は、当選した小役を遊技者に対して告知する遊技であるとしたが、これに限られるものではない。アシストタイム（ＡＴ）としては、例えば、当選した小役の図柄が有効ライン上に停止表示可能となるストップスイッチ50の操作順序（いわゆる「押し順」）を報知するタイプにしてもよい。
【００９１】
本発明は、上述した実施の形態に限定されるものではなく、本発明の目的を達成できる範囲における変形および改良なども含むものである。また、本発明は、上述した実施の形態を適宜組み合わせる、または組み替えることもできる。
（第２の実施の形態）
第１の実施の形態では、回胴演出制御手段170による回胴演出の後、遅延時間抽選手段400の抽選により決定された遅延時間を遅延実行手段420が実行していた。本実施の形態では、そのような遅延時間を設けることなく、回胴演出制御手段170による回胴演出を実行する回胴演出時間を、抽選により決定し、変動させるものである。その他の構成や、作用及び効果は、第１の実施の形態と同様のものである。
【００９２】
具体的には、本実施の形態に係る遊技機10は、第１の実施の形態に係る遅延時間抽選手段400の代わりに、回胴演出制御手段170による回胴演出中の所定の配置態様を維持した状態で複数の回転リール40を同一回転速度で回転させる時間を、抽選により決定する回胴演出時間抽選手段410を備えているものである。そして、回胴演出制御手段170は、回胴演出時間抽選手段410の抽選により決定された回胴演出時間に基づいて、回胴演出を実行するものである。そして、本実施の形態に係る遊技機10は、回胴演出中は、ストップスイッチ50による停止操作を不能にすると共に、回胴演出が終了した後であって、定常回転速度に移行する処理、いわゆる定常回転処理（速度調整処理）の終了後にストップスイッチ50による停止操作を可能となるように形成されている。
【００９３】
具体的には、図２２、図２３に示すように、回転リール40の回転開始から時刻Ｔ５までの時間（Ａ＋Ｂ＋Ｃ＋Ｄ＋Ｅ１）が、回胴演出時間として、回胴演出時間抽選手段410により決定されているものである。
また、異なる長さの回胴演出時間が回胴演出時間抽選手段410により決定された場合は、図２４や、図２５に示すようなものとなる。なお、時間Ｅ１＞時間Ｅ２＞時間Ｅ３（Ｅ３＝０）となっている。かかる場合、図２３、図２４及び図２５に示すように、ストップスイッチ50の操作が有効となる時刻が変動することとなり、遊技者による目押しタイミングも、回転開始からの一定でなく、変動させることができるように形成されている。
【００９４】
本実施の形態において、第１の実施の形態と同様に、回胴演出制御手段170は、回転リール40の回転中に、所定の配置態様のままで表示窓13に表示可能な状態で回転するように所定の回転リール40の回転態様を変更させ、その後、その所定の配置態様を維持した状態で複数の回転リール40を同一回転速度で回転させる。これにより、複数の回転リール40において、所定の配置態様が揃った状態で回転するように揃わせることができ、所定の利益の付与の期待感を煽ることができる。
そして、本実施の形態では、回胴演出時間抽選手段410が、複数の回転リール40が同一回転速度で回転させる回胴演出の時間を、抽選により決定している。そして、この回胴演出の時間が終了するまで、ストップスイッチ50の停止操作が不能となり、回胴演出の終了後に、停止操作が可能となる。このため、回胴演出が開始して、回胴演出が終了して、停止操作可能なタイミングまでの時間が一定とならない。これにより、遊技者が、回胴演出が終了した時から同一の時間経過時に停止操作を行おうとしても、その停止操作のタイミングが外されてしまうことが発生し、目押しの補助となるようなことを回避することができる。したがって、目押しの技量に熟練した遊技者にとっても、目押しの面白みが半減することもなく、遊技の興趣を向上させることができる。
【００９５】
また、上述した本実施の形態においても、回胴演出制御手段による回転態様は、第１の実施の例で説明した回転態様の一部変形例と同様に種々のものが適用可能なものである。
【符号の説明】
【００９６】
10  遊技機                              30  スタートスイッチ
40  回転リール                          50  ストップスイッチ
110  役抽選手段                        160  回転位置検出手段
170  回胴演出制御手段                  400  遅延時間抽選手段
410  回胴演出時間抽選手段              420  遅延実行手段
【図１】
0005849356.tif 000002
【図２】
0005849356.tif 000003
【図３】
0005849356.tif 000004
【図４】
0005849356.tif 000005
【図５】
0005849356.tif 000006
【図６】
0005849356.tif 000007
【図７】
0005849356.tif 000008
【図８】
0005849356.tif 000009
【図９】
0005849356.tif 000010
【図１０】
0005849356.tif 000011
【図１１】
0005849356.tif 000012
【図１２】
0005849356.tif 000013
【図１３】
0005849356.tif 000014
【図１４】
0005849356.tif 000015
【図１５】
0005849356.tif 000016
【図１６】
0005849356.tif 000017
【図１７】
0005849356.tif 000018
【図１８】
0005849356.tif 000019
【図１９】
0005849356.tif 000020
【図２０】
0005849356.tif 000021
【図２１】
0005849356.tif 000022
【図２２】
0005849356.tif 000023
【図２３】
0005849356.tif 000024
【図２４】
0005849356.tif 000025
【図２５】
0005849356.tif 000026